(57)【要約】【課題】本発明は、開閉式テントの大小に拘わらず好適に適用せしめることが出来るのみならず、強度が大で常にテント布を緊張状態に張設せしめることができ、しかも、施工時の取扱いや運搬・保管に至便な開閉式テントにおけるテント用スパン材を提供するものである。【解決手段】開閉式テントを構成するテント用スパン材１であって、該スパン材１はバ−状とされた所要数の上部スパン部材２と下部スパン部材３とよりなり、上記上下部スパン部材２・３の少なくとも一方にはその長手方向に沿って係合凸条４・６が、同他方には係合凹条５・７が各々形成され、該係合凸条４・６・係合凹条５・７を介して上下部スパン部材２・３を一体的に係着せしめつつその長手方向に沿って所要の長さに連結自在とされると共に、上部スパン部材２どうしの連結個所と下部スパン部材３どうしの連結個所とは各々互い違いに設定せしめるべく構成されている。【選択図】図１
2007177549.tif 000002
【特許請求の範囲】
【請求項１】
開閉式テントを構成するテント用スパン材であって、該スパン材はバ−状とされた所要数の上部スパン部材と下部スパン部材とよりなり、上記上下部スパン部材の少なくとも一方にはその長手方向に沿って係合凸条が、同他方には該係合凸条に対応せしめるべく係合凹条が各々形成され、該係合凸条・係合凹条を介して上下部スパン部材を一体的に係着せしめつつその長手方向に沿って所要の長さを連結自在とされると共に、上部スパン部材どうしの連結個所と下部スパン部材どうしの連結個所とは各々互い違いに設定せしめるべく構成されてなることを特徴とする、開閉式テントにおけるテント用スパン材。
【請求項２】
上下部スパン部材はその一方が所要の長さを備えた長尺バ−より構成されると共に、同他方が所要の長さを有する長尺バ−と短尺バ−とより構成されてなることを特徴とする、請求項１記載の開閉式テントにおけるテント用スパン材。
【請求項３】
上部スパン部材および下部スパン部材の各連結個所には各々補強用当板が取付け自在とされてなることを特徴とする、請求項１及び２記載の開閉式テントにおけるテント用スパン材。
【発明の詳細な説明】
【技術分野】
【０００１】
本発明は、主として建築現場などにおける仮設テント、あるいは簡易倉庫などに好適に使用する開閉式テントにおけるテント用スパン材に関する。
【背景技術】
【０００２】
従来より、建築現場における仮設テントや簡易倉庫などに使用される開閉式テントは、所定間隔でもって所要の高さに立設された両側一対のテントフレ−ム間に吊設材を介してスパン材付きテント布が開閉自在に吊設され、必要に応じて適宜テント布を開閉作動せしめるものとされている。
【０００３】
そして、上記の開閉式テントにおけるテント用スパン材としては、例えば、本発明者が先に開示した特開２００１−１２１１１号公報に記載されているように、テント挿着用スリットを備えた金属パイプ製スパン材が知られている。また、特開平１１−２２３０４８号公報に記載されているように、ピアノ線などの芯材を内包せしめた可撓自在なロ−プ状のスパン材が知られている。
【特許文献１】特開２００１−１２１１１号公報
【特許文献２】特開平１１−２２３０４８号公報
【発明の開示】
【発明が解決しようとする課題】
【０００４】
ところで、上記特開２００１−１２１１１号公報記載のスパン材は、所要長の金属製パイプ材により形成されているから、テントの施工時における取扱いや運搬・保管などの点から余り長尺化せしめることが出来ず、比較的小型の開閉式テントに適用せしめるに留まるものである。なお、金属製パイプ材を所要の連結部材でもって連結せしめることによりスパン材を長尺化せしめることが考えられるが、施工時における連結作業が非常に面倒であり、また、連結個所における強度等が問題となりやすいものである。   
【０００５】
また特開平１１−２２３０４８号公報記載のスパン材は、ピアノ線などの芯材を内包せしめた可撓自在なロ−プ状に形成されているから、長尺化せしめて比較的大型の開閉式テントに適用せしめることが出来るのみならず、テントの施工時における取扱いや運搬・保管などに至便である反面、可撓性を有するものであるから、テント布を吊設せしめたさいには垂れ下りやすいものであって、ひいては、常にテント布を緊張状態に張設せしめずらいものである。
【０００６】
本発明は従来の問題点を解決し、開閉式テントの大小に拘わらず好適に適用せしめることが出来るのみならず、強度が大で常にテント布を緊張状態に張設せしめることができ、しかも、施工時における取扱いや運搬・保管に至便な開閉式テントにおけるテント用スパン材を提供しようとするものである。
【課題を解決するための手段】
【０００７】
上記の目的を達成するため、請求項１記載の発明は、開閉式テントを構成するテント用スパン材であって、該スパン材はバ−状とされた所要数の上部スパン部材と下部スパン部材とよりなり、上記上下部スパン部材の少なくとも一方にはその長手方向に沿って係合凸条が、同他方には該係合凸条に対応せしめるべく係合凹条が各々形成され、該係合凸条・係合凹条を介して上下部スパン部材を一体的に係着せしめつつその長手方向に沿って所要の長さに連結自在とされると共に、上部スパン部材どうしの連結個所と下部スパン部材どうしの連結個所とは各々互い違いに設定せしめるべく構成されてなることを特徴とする、開閉式テントにおけるテント用スパン材を要旨とするものである。
【０００８】
請求項２記載の発明は、上下部スパン部材はその一方が所要の長さを備えた長尺バ−より構成されると共に、同他方が所要の長さを有する長尺バ−と短尺バ−とより構成されてなることを特徴とする、請求項１記載の開閉式テントにおけるテント用スパン材を要旨とするものである。
【０００９】
請求項３記載の発明は、上部スパン部材および下部スパン部材の各連結個所には各々補強用当板が取付け自在とされてなることを特徴とする、請求項１及び２記載の開閉式テントにおけるテント用スパン材を要旨とするものである。
【発明の効果】
【００１０】
請求項１記載の発明は上述のように構成されているから、係合凸条・係合凹条を介して上下部スパン部材を一体的に係着せしめつつその長手方向に沿って所要の長さに連結せしめることが出来るため、開閉式テントの大小に拘わらず適正に適用せしめることが出来るのみならず、上部スパン部材どうしの連結個所と下部スパン部材どうしの連結個所を各々互い違いに設定せしめて吊設荷重を均一に支持せしめることが出来るため、非常に強度が大であり、常にテント布を緊張状態に張設せしめることが出来る。しかも、上下部スパン部材を各々分離してコンパクトにまとめることが出来るため、開閉式テントの施工時の取扱いのみならず、運搬や保管などに極めて至便である。  
【００１１】
請求項２記載の発明は上述のように構成されているから、上部スパン部材どうしの連結個所と下部スパン部材どうしの連結個所とを各々互い違いに設定せしめることが出来るものであって、ひいては、スパン材の強度を常に均一に保持せしめることが出来る。  
【００１２】
請求項３記載の発明は上述のように構成されているから、上下部スパン部材の連結個所を各々補強せしめ、スパン材の強度を安定的に保持せしめることが出来る。
【発明を実施するための最良の形態】
【００１３】
以下に、本発明を実施するための最良の形態を図面に示す一実施例に基づいて詳細に説明する。
【００１４】
図１乃至図５は本発明の一実施例を示すもので、同図中、１は開閉式テント用スパン材
、２・３は該スパン材１を構成する上部スパン部材と下部スパン部材で、該上部スパン部材２は所要の長さを備えた所要数の型材製長尺バ−２ａにより構成され、また、下部スパン部材３は所要の長さを備えた所要数の型材製長尺バ−３ａと短尺バ−３ｂとより構成されている。そして、上記の上下部スパン部材２・３を一体的に係着せしめるべく、上部スパン部材２を構成する各長尺バ−２ａの一面にはその長手方向に沿って係合凸条４と係合凹条５とが、下部スパン部材３を構成する各長短尺バ−３ａ・３ｂの一面には該係合凸条４・係合凹条５に各々対応すべく係合凸条６と係合凹条７とが各々その長手方向に沿って形成されている。８は後記するテント布１９を取付けるべく下部スパン部材３を構成する長短尺バ−３ａ・３ｂ下面の長手方向に沿って形成された略下向きＣ字形状の取付け溝、９・１０は後記する補強用当板１２を取付けるべく上下部スパン部材２・３の長短尺バ−２ａ・３ａ・３ｂ両側面に各々段落ち状に形成された取付け部、１１は該取付け部９・１０に止着ボルト１１を介して止着自在とされた方形板状の補強用当板、１３は上下部スパン部材２・３を係着せしめたさいにその両端を閉塞せしめる略隅丸長方形状の閉塞板である。
【００１５】
その他、１４は所要の幅と高さを備えた方形体状の金属製テントフレ−ム、１５・１６は該テントフレ−ム１４を構成する支柱と桁材、１７はテントフレ−ム１４の長手方向に沿ってその両側桁材１６下面に各々敷設された略下向きリップ溝形状のガイドレ−ル、１８は該ガイドレ−ル１７に沿って走行自在とされたトロリ−、１９はテント布で、該テント布１９は前記下部スパン部材３に取付けられると共に、トロリ−１８を介してガイドレ−ル１７にガイドされつつウィンチ機構（図示略）などを介して所定方向に開閉作動せしめるものとされている。
【００１６】
次に、上述の如く構成された実施例の使用例について説明する。
まず、ガイドレ−ル１７の幅に合せるべく上下部スパン部材２・３を係着せしめつつ所要の長さに連結せしめる。即ち、上部スパン部材２の長尺バ−２ａに下部スパン部材３の長尺バ−３ａと短尺バ−３ｂとを各々交互に係合凸条４・６・係合凹条５・７でもって順次一体的に係着せしめつつ、所要の長さに連結せしめる。このさい、上部スパン部材２を構成する長尺バ−２ａに下部スパン部材３を構成する長短尺バ−３ａ・３ｂを交互に係着せしめつつ順次連結せしめるものであるから、上部スパン部材２における長尺バ−３ａどうしの連結個所と、下部スパン部材３における長短尺バ−３ａ・３ｂどうしの連結個所とは各々互い違い状に位置するものとされている（図２参照）。次いで、上下部スパン部材２・３の連結個所に取付け部９・１０を介して補強用当板１２を当てがいつつ、止着ボルト１１により止着せしめ、連結個所を補強せしめたのち、連結せしめた上下部スパン部材２・３の両端部に閉塞板１３を止着ボルト（図示略）などにより取付けて閉塞せしめると共に、両端部に各々トロリ−１８を取付け、スパン材１を組立てる（図２及び図３参照）
。
【００１７】
しかるのち、テント布１９に下部スパン部材３の取付け溝８を介して所定ピッチ毎にスパン材１を取付けると共に、トロリ−１８を介して両側のガイドレ−ル１７に走行自在に取付ける。そして、必要に応じてテント布１９を適宜ガイドレ−ル１７にガイドせしめつつ所定方向に走行せしめて開閉作動せしめる（図４及び図５参照）。このさい、上部スパン部材２を構成する長尺バ−２ａどうしの連結個所と下部スパン部材３を構成する長短尺バ−３ａ・３ｂどうしの連結個所を各々互い違いに設定せしめているから、テント布１９の吊設荷重を均一に支持せしめることが出来るものであって、非常に強度が大であり、常にテント布１９を緊張状態に張設せしめることが出来る。
【００１８】
逆に、解体時には、下部スパン部材３の取付け溝８よりテント布１９を取外すと共に、補強用当板１２、トロリ−１８及び閉塞板１３を各々取外したのち、上下部スパン部材２
・３の係着を解除せしめて解体し、上下部スパン部材２・３を各々構成する長短尺バ−２ａ・３ａ・３ｂを各々分離せしめる。このさい、上下部スパン部材２・３を構成する長短尺バ−２ａ・３ａ・３ｂを解体して分離せしめることが出来るため、非常にコンパクトにまとめることが出来るものであって、ひいては、開閉式テントの施工時における取扱いのみならず、運搬や保管などに極めて至便である。
【００１９】
なお、上記実施例において、上下部スパン部材２・３を係着せしめるべく対向状に係合凸条４・６と係合凹条５・７とが各々形成されているが、これに限定されるものではなく
、上下部スパン部材２・３の少なくとも一方に係合凸条を形成すると共に、同他方に係合凹条を形成せしめてもよいものである。また、上記実施例は開閉式テントへの適用例を示したが、他のテントにも適用せしめることが出来るものである。
【図面の簡単な説明】
【００２０】
【図１】本発明の一実施例を示す一部拡大分解斜視図である。
【図２】実施例の上下部スパン部材２・３によりスパン材１を組立てた状態を示す側面図である。
【図３】図２のＡ−Ａ線に沿う断面図である。
【図４】実施例の使用状態を示す斜視図である。
【図５】実施例の使用状態を示す一部拡大斜視図である。
【符号の説明】
【００２１】
１    スパン材
２    上部スパン部材
２ａ  長尺バ−
３    下部スパン部材
３ａ  長尺バ−
３ｂ  短尺バ−
４    係合凸条
５    係合凹条
６    係合凸条
７    係合凹条
８    取付け溝
９    取付け部
１０  取付け部
１２  補強用当板
１９  テント布
【図１】
2007177549.tif 000003
【図２】
2007177549.tif 000004
【図３】
2007177549.tif 000005
【図４】
2007177549.tif 000006
【図５】
2007177549.tif 000007